(57)【要約】【課題】複数の表示装置を並べて構成される表示領域を効果的に使用して画像等を表示する表示システム、表示制御装置、及び表示制御方法を提供する。【解決手段】複数の表示装置２０を並べて構成される表示ユニット２において、表示ユニット２の近傍における人の位置を検出し、表示ユニット２の一部に相当する表示装置２０によって表示される表示オブジェクトの表示位置を、検出した人の位置に基づいて決定し、決定した表示位置に表示オブジェクトを表示させ、新たに人の位置を検出した場合には、この新たな人の位置に基づいて新たな表示位置を決定し、この新たな表示位置に表示オブジェクトを表示する。【選択図】図１
2010015076.tif 000002
【特許請求の範囲】
【請求項１】
複数の表示装置を並べて構成される表示ユニットと、
前記表示ユニットの一部分に相当する前記表示装置によって表示される表示オブジェクトを予め記憶した表示データ記憶手段と、
前記表示ユニットの近傍における人の位置を検出する人位置検出手段と、
前記人位置検出手段により検出された人の位置に基づいて、前記表示データ記憶手段に記憶された表示オブジェクトの表示位置を決定する位置決定手段と、
前記表示データ記憶手段に記憶された表示オブジェクトを読み出して、前記位置決定手段により決定された表示位置に表示させる表示制御手段と、を備え、
前記表示制御手段は、前記人位置検出手段により新たに人の位置が検出され、この新たな人の位置に基づいて前記位置決定手段により新たな表示位置が決定された場合は、前記表示オブジェクトの表示位置を変更して表示を更新すること、
を特徴とする表示システム。
【請求項２】
前記位置決定手段は、前記表示ユニットを構成する複数の前記表示装置から前記表示オブジェクトの表示サイズに適合する数の前記表示装置を選択して、前記表示オブジェクトの表示位置として決定すること、
を特徴とする請求項１記載の表示システム。
【請求項３】
前記人位置検出手段は、前記表示ユニットに表示される表示オブジェクトを視認可能な範囲で撮影するカメラと、
前記カメラの撮影画像に含まれる人物画像を認識することで人の位置を検出するとともに、認識した人物画像から人物の属性を判定する画像認識手段と、を備えて構成され、
前記表示データ記憶手段は、それぞれ人の属性に対応づけられた複数の表示オブジェクトを記憶しており、
前記表示制御手段は、前記画像認識手段により判定された属性に対応する前記表示オブジェクトを前記表示データ記憶手段から読み出して表示させること、
を特徴とする請求項１または２記載の表示システム。
【請求項４】
前記表示ユニットに表示される表示オブジェクトを視認可能な範囲に向けて音声を出力する複数の音声出力装置と、
音声出力用のデータを予め記憶した音声データ記憶手段と、
前記位置決定手段により決定された表示位置に基づいて、使用する前記音声出力装置を選択し、選択した前記音声出力装置から、前記音声データ記憶手段に記憶されたデータに基づいて音声を出力させる音声出力制御手段と、
を備えることを特徴とする請求項１から３のいずれかに記載の表示システム。
【請求項５】
前記表示ユニットの近傍における音声を検出するマイクと、前記マイクにより検出された音声の内容を識別する音声識別手段と、を備え、
前記音声データ記憶手段は、前記音声識別手段により識別可能な音声の内容に対応する複数の音声出力用のデータを記憶しており、
前記音声出力制御手段は、前記マイクにより検出された音声の内容に対応するデータに基づいて、前記音声出力装置から音声を出力させること、
を特徴とする請求項４記載の表示システム。
【請求項６】
複数の表示装置を並べて構成される表示ユニットに接続され、
前記表示ユニットの一部分に相当する前記表示装置によって表示される表示オブジェクトを予め記憶した表示データ記憶手段と、
前記表示ユニットの近傍における人の位置を検出する人位置検出手段と、
前記人位置検出手段により検出された人の位置に基づいて、前記表示データ記憶手段に記憶された表示オブジェクトの表示位置を決定する位置決定手段と、
前記表示データ記憶手段に記憶された表示オブジェクトを読み出して、前記位置決定手段により決定された表示位置に表示させる表示制御手段と、を備え、
前記表示制御手段は、前記人位置検出手段により新たに人の位置が検出され、この新たな人の位置に基づいて前記位置決定手段により新たな表示位置が決定された場合は、前記表示オブジェクトの表示位置を変更して表示を更新すること、
を特徴とする表示制御装置。
【請求項７】
複数の表示装置を並べて構成される表示ユニットの近傍における人の位置を検出し、
前記表示ユニットの一部分に相当する前記表示装置によって表示される表示オブジェクトの表示位置を、検出した人の位置に基づいて決定し、
決定した表示位置に表示オブジェクトを表示させるとともに、
新たに人の位置を検出した場合には、この新たな人の位置に基づいて新たな表示位置を決定し、この新たな表示位置に前記表示オブジェクトを表示すること、
を特徴とする表示制御方法。
【発明の詳細な説明】
【技術分野】
【０００１】
本発明は、複数の表示装置により表示を行う表示システム、この表示システムにおける表示状態を制御する表示制御装置、および、表示制御方法に関する。
【背景技術】
【０００２】
従来、複数の表示装置を並べて一つの大型の画面を構成する手法が知られている（例えば、特許文献１参照）。特許文献１には、複数の画像表示部を並べて配設することで、大型の画面として機能するマルチディスプレイ装置を構成する場合に、各々の画像表示部に対し、表示データをそれぞれ入力するものが開示されている。このように複数の表示装置を並べて全体として一つの画面のように表示をさせることは、一般に、タイリング表示と呼ばれる。このようなマルチディスプレイ装置は、例えば、広告表示を目的として壁面等に設置される。
【特許文献１】特開２００１−２７５１３７号公報
【発明の開示】
【発明が解決しようとする課題】
【０００３】
ところで、マルチディスプレイ装置を用いて広告等を表示する場合は、通常の表示装置に表示される映像を拡大して表示することが多く、マルチディスプレイ装置に合わせた特有の表示方法は無かった。このため、マルチディスプレイ装置の特性を生かした表示の方法の開発が望まれていた。
そこで、本発明は、複数の表示装置を並べて構成される表示領域を効果的に使用して画像等を表示する表示システム、表示制御装置、及び表示制御方法を提供することを目的とする。
【課題を解決するための手段】
【０００４】
上記課題を解決するため、本発明は、複数の表示装置を並べて構成される表示ユニットと、前記表示ユニットの一部分に相当する前記表示装置によって表示される表示オブジェクトを予め記憶した表示データ記憶手段と、前記表示ユニットの近傍における人の位置を検出する人位置検出手段と、前記人位置検出手段により検出された人の位置に基づいて、前記表示データ記憶手段に記憶された表示オブジェクトの表示位置を決定する位置決定手段と、前記表示データ記憶手段に記憶された表示オブジェクトを読み出して、前記位置決定手段により決定された表示位置に表示させる表示制御手段と、を備え、前記表示制御手段は、前記人位置検出手段により新たに人の位置が検出され、この新たな人の位置に基づいて前記位置決定手段により新たな表示位置が決定された場合は、前記表示オブジェクトの表示位置を変更して表示を更新すること、を特徴とする表示システムを提供する。
この構成によれば、複数の表示装置を並べて構成される表示ユニットの近傍における人の位置を検出して、この位置に基づいて表示オブジェクトの表示位置を決定して、表示を行うので、表示ユニットの近くにいる人の位置に合わせて、表示オブジェクトとして広告映像や各種画像等を表示できる。例えば、表示ユニットの近くにいる人に対し、その人のすぐ近くに表示オブジェクトを表示できる。また、新たに人の位置を検出した場合は新たな位置に基づいて表示オブジェクトの表示位置を変更して表示を更新するので、人が移動した場合や、別の人の位置を検出した場合に、この新たな人の位置に合わせて表示オブジェクトを表示できる。このため、例えば、移動する人に追従するように表示オブジェクトの表示位置を変化させることが可能となる。
このように、本発明によれば、複数の表示装置からなる表示領域を効果的に使用して、表示ユニットの近くにいる人に、通常の表示画面ではできない迫力や親密感等を感じさせる新しい表示方法を提供できる。これにより、大画面化が容易であるという、複数の表示装置を並べて構成される表示ユニットの特性を生かして、興趣性とインパクトに富む表示を行うことができ、例えば広告表示に適用すれば、優れた広告効果が期待できる。
【０００５】
上記構成において、前記位置決定手段は、前記表示ユニットを構成する複数の前記表示装置から前記表示オブジェクトの表示サイズに適合する数の前記表示装置を選択して、前記表示オブジェクトの表示位置として決定するものとしてもよい。
この場合、表示オブジェクトの表示サイズに適合する数の表示装置が表示位置として決定されるので、表示オブジェクトを表示する際に、表示サイズの変換や画像合成等の処理を必要としない。これにより、表示に係る処理負荷が軽くて済むので、表示処理および表示を更新する処理を高速に実行でき、例えば表示位置を高速に変えられる。
【０００６】
また、上記構成において、前記人位置検出手段は、前記表示ユニットに表示される表示オブジェクトを視認可能な範囲で撮影するカメラと、前記カメラの撮影画像に含まれる人物画像を認識することで人の位置を検出するとともに、認識した人物画像から人物の属性を判定する画像認識手段と、を備えて構成され、前記表示データ記憶手段は、それぞれ人の属性に対応づけられた複数の表示オブジェクトを記憶しており、前記表示制御手段は、前記画像認識手段により判定された属性に対応する前記表示オブジェクトを前記表示データ記憶手段から読み出して表示させるものとしてもよい。
この場合、カメラの撮影画像から人物画像を認識することで人の位置を検出し、さらに、人物画像から人の属性を判定し、この属性に対応する表示オブジェクトを表示するので、人の位置を容易にかつ速やかに検出でき、さらに、その人の属性に合った表示オブジェクトを表示して、より強い親密感や興趣性を生み出すことができる。さらに、例えば本構成を広告表示に適用した場合、その人の属性に合った表示オブジェクトを用いることで広告への注目度を高めることができ、優れた広告効果が期待できる。
【０００７】
さらに、上記構成において、前記表示ユニットに表示される表示オブジェクトを視認可能な範囲に向けて音声を出力する複数の音声出力装置と、音声出力用のデータを予め記憶した音声データ記憶手段と、前記位置決定手段により決定された表示位置に基づいて、使用する前記音声出力装置を選択し、選択した前記音声出力装置から、前記音声データ記憶手段に記憶されたデータに基づいて音声を出力させる音声出力制御手段と、を備えるものとしてもよい。
この場合、表示オブジェクトの表示位置に基づいて選択された音声出力装置から音声が出力されるので、表示ユニットの近くにいる人の位置に合わせて、表示と音声とを合わせて出力できる。これにより、より高いレベルの迫力や親密感、興趣性を与えることが可能となり、例えば本構成を広告表示に適用した場合には優れた広告効果が期待できる。
【０００８】
さらにまた、上記構成において、前記表示ユニットの近傍における音声を検出するマイクと、前記マイクにより検出された音声の内容を識別する音声識別手段と、を備え、前記音声データ記憶手段は、前記音声識別手段により識別可能な音声の内容に対応する複数の音声出力用のデータを記憶しており、前記音声出力制御手段は、前記マイクにより検出された音声の内容に対応するデータに基づいて、前記音声出力装置から音声を出力させるものとしてもよい。
この場合、表示ユニットの近傍にいる人の位置に基づいて決定される表示位置に表示オブジェクトを表示するとともに、その人が発した音声の内容を識別し、その音声の内容に対応する音声を出力するので、その人の要望に応じた音声を出力する等の双方向的な音声出力が可能となる。これにより、より高い親密感や興趣性を与えることが可能となり、例えば本構成を広告表示に適用した場合には優れた広告効果が期待できる。
【０００９】
また、上記課題を解決するため、本発明は、複数の表示装置を並べて構成される表示ユニットに接続され、前記表示ユニットの一部分に相当する前記表示装置によって表示される表示オブジェクトを予め記憶した表示データ記憶手段と、前記表示ユニットの近傍における人の位置を検出する人位置検出手段と、前記人位置検出手段により検出された人の位置に基づいて、前記表示データ記憶手段に記憶された表示オブジェクトの表示位置を決定する位置決定手段と、前記表示データ記憶手段に記憶された表示オブジェクトを読み出して、前記位置決定手段により決定された表示位置に表示させる表示制御手段と、を備え、前記表示制御手段は、前記人位置検出手段により新たに人の位置が検出され、この新たな人の位置に基づいて前記位置決定手段により新たな表示位置が決定された場合は、前記表示オブジェクトの表示位置を変更して表示を更新すること、を特徴とする表示制御装置を提供する。
この構成によれば、複数の表示装置を並べて構成される表示ユニットの近傍における人の位置を検出して、この位置に基づいて決定した位置に表示オブジェクトを表示し、新たに人の位置を検出した場合は、検出した位置に基づいて表示オブジェクトの表示位置を変更して表示を更新するので、表示ユニットの近くにいる人の位置に合わせて広告映像や各種画像等の表示オブジェクトを表示でき、人が移動した場合や、別の人の位置を検出した場合には、この新たな位置に合わせて表示オブジェクトを表示できる。従って、複数の表示装置からなる表示領域を効果的に使用して、表示ユニットの近くにいる人に、通常の表示画面ではできない迫力や親密感等を感じさせる新しい表示方法を提供できる。これにより、大画面化が容易であるという、複数の表示装置を並べて構成される表示ユニットの特性を生かして、興趣性とインパクトに富む表示を行うことができ、例えば広告表示に適用すれば、優れた広告効果が期待できる。
【００１０】
また、上記課題を解決するため、本発明は、複数の表示装置を並べて構成される表示ユニットの近傍における人の位置を検出し、前記表示ユニットの一部分に相当する前記表示装置によって表示される表示オブジェクトの表示位置を、検出した人の位置に基づいて決定し、決定した表示位置に表示オブジェクトを表示させるとともに、新たに人の位置を検出した場合には、この新たな人の位置に基づいて新たな表示位置を決定し、この新たな表示位置に前記表示オブジェクトを表示すること、を特徴とする表示制御方法を提供する。
この方法によれば、複数の表示装置を並べて構成される表示ユニットの近傍における人の位置を検出して、この位置に基づいて決定した位置に表示オブジェクトを表示し、新たに人の位置を検出した場合は、検出した位置に基づいて表示オブジェクトの表示位置を変更するので、表示ユニットの近くにいる人の位置に合わせて広告映像や各種画像等の表示オブジェクトを表示でき、人が移動した場合や、別の人の位置を検出した場合には、この新たな位置に合わせて表示オブジェクトを表示できる。従って、複数の表示装置からなる表示領域を効果的に使用して、表示ユニットの近くにいる人に、通常の表示画面ではできない迫力や親密感等を感じさせる新しい表示方法を提供できる。これにより、大画面化が容易であるという、複数の表示装置を並べて構成される表示ユニットの特性を生かして、興趣性とインパクトに富む表示を行うことができ、例えば広告表示に適用すれば、優れた広告効果が期待できる。
【発明の効果】
【００１１】
本発明によれば、複数の表示装置を並べて構成される表示ユニットの近傍にいる人の位置に基づいて、表示オブジェクトを表示することにより、複数の表示装置からなる表示領域を効果的に使用して、親密感、興趣性及びインパクトに富む表示を行うことができる。
【発明を実施するための最良の形態】
【００１２】
以下、図面を参照して本発明の実施形態について説明する。
図１は、本発明を適用した実施形態に係る表示システム１の概略構成を示す図である。
この図１に示す表示システム１は、表示パネルを備えた表示装置２０を縦横に多数並べて構成される表示ユニット２を備えている。各々の表示装置２０は、信号線１１を介して個々に表示制御装置５に接続されており、表示システム１は表示制御装置５の制御によって、表示ユニット２に画像を表示するシステムである。さらに、表示装置２０は音声を出力する機能を有しており、表示制御装置５の制御によって、各々の表示装置２０から音声を出力できる。
【００１３】
また、表示ユニット２には複数のカメラ３０及びマイク４０が取り付けられており、表示制御装置５は、カメラ３０により撮影された画像およびマイク４０により検出された音声に基づいて、表示装置２０に表示させる画像や表示装置２０により出力する音声を制御する。
カメラ３０は、例えばデジタルビデオカメラにより構成され、表示制御装置５の制御に従って撮影を開始し、撮影しながら、或いは所定時間毎に、撮影した動画のデータを表示制御装置５へ出力する。カメラ３０をデジタルスチルカメラで構成することも可能であり、この場合、カメラ３０は、表示制御装置５の制御に従って撮影を行い、撮影した静止画像のデータを表示制御装置５へ出力する。
【００１４】
カメラ３０が撮影する範囲（領域）は、表示ユニット２の前方で、表示ユニット２に表示される画像を見ることが可能な領域である。つまり、カメラ３０は、表示ユニット２を見ることが可能な場所にいる人の姿を撮影する。
表示制御装置５は、カメラ３０が撮影した撮影画像から人物画像（人の姿の画像）を認識及び抽出する機能を有する。この機能により、表示制御装置５は、カメラ３０の撮影画像中の人物画像を認識し、その人の年齢や性別等の属性を、人物画像に基づいて判定することも可能である。その人の顔の向きを識別することで表示ユニット２を見ているか否かを判別する処理を行うこともできる。
なお、表示ユニット２が多数の表示装置２０で構成され、広い表示領域を有するものである場合、表示ユニット２は相当遠方からも視認可能であるが、このような場合のカメラ３０の焦点距離は、例えば表示ユニット２の近くに居る人を鮮明に撮影できるよう設定される。これは、上述した表示装置２０による音声出力機能と表示装置２０における表示とを連動させる場合に、表示ユニット２に近い人を対象にすれば、より効果的であるためである。
表示システム１は、全てのカメラ３０を用いることで、表示ユニット２に表示される画像を良好に視認可能な範囲として、表示ユニット２の前方、及び、表示ユニット２の斜め前に広がる領域を撮影する。ここで必要なカメラ３０の数は各カメラ３０の画角等によって適宜決定され、例えば焦点距離が35〜24mmの広角レンズや、21mm以下の超広角レンズ（焦点距離はいずれも35mmフィルム換算）、或いは魚眼レンズを用いて、カメラ３０の設置台数を少なくすることも可能である。
【００１５】
マイク４０は、表示ユニット２の前方からの音声を集音してアナログ電気信号に変換するマイクであり、このアナログ電気信号は表示制御装置５に入力される。
【００１６】
図２は表示装置２０の構成を示し、図２Ａは正面図、図２Ｂは縦断面図である。
図２Ａ及び図２Ｂに示すように、表示装置２０は、所定の奥行きを有する直方体の枠２１に各部を収容して構成され、枠２１には透明な前面パネル２２が嵌め込まれている。前面パネル２２の奥には、画像を表示する表示パネル２３、表示パネル２３を照明するバックライト２４、制御基板２５が収容されている。
表示パネル２３は、例えば、カラーフィルタや偏光板等を備え、後述する駆動回路２１３（図３）により駆動されて画像（静止画像及び動画像を含む）を表示する透過型の液晶表示パネルである。バックライト２４は、表示パネル２３の背面から光を照射して、表示パネル２３に表示された画像を視認可能とする照明装置であり、冷陰極管やＬＥＤ等の光源と、表示パネル２３の全体に均等に光を照射するための拡散板とを備えている。
【００１７】
制御基板２５は、表示装置２０の動作を制御する制御部２００（図３）が実装された基板である。
また、前面パネル２２の裏面には複数の振動子２６が貼付されている。振動子２６は、音声信号に従って振動を発生することで、前面パネル２２を振動させる素子である。振動子２６によって前面パネル２２を振動させることにより、前面パネル２２は、スピーカの振動板と同様に機能して、音声を出力する。すなわち、前面パネル２２と振動子２６とは協働して、音声出力装置として機能する。
【００１８】
図３は、表示システム１の各部の構成を示す機能ブロック図である。
表示装置２０は、制御基板２５（図２Ｂ）に実装される制御部２００を備え、この制御部２００は、各種プログラムを実行して表示装置２０の各種機能を実現するＣＰＵ２０１、ＣＰＵ２０１により実行されるプログラム及び当該プログラムに係るデータを記憶したＲＯＭ２０２、プログラムやデータ等を一時的に記憶するＲＡＭ２０３、表示装置２０に固有のＩＤや表示装置２０の動作に関する設定情報等を記憶した不揮発性メモリ２０４、及び、信号線１１を介して表示制御装置５に接続されるインタフェース（Ｉ／Ｆ）部２０５を備え、これらの各部はバス２０６を介して相互に接続されている。
不揮発性メモリ２０４に記憶されるＩＤは、表示ユニット２を構成する各々の表示装置２０に固有の情報であり、表示ユニット２における各表示装置２０の位置を示す情報を含んでいてもよい。
【００１９】
また、制御部２００は、バス２０６に接続され、ＣＰＵ２０１の制御に従って表示パネル２３に表示する画像を描画する画像処理部２１１と、画像処理部２１１に描画された画像を保持する描画メモリ２１２と、画像処理部２１１により描画された画像を表示パネル２３に表示させる駆動回路２１３とを備え、駆動回路２１３は表示パネル２３に接続されている。
制御部２００は、さらに、バス２０６に接続され、ＣＰＵ２０１の制御に従って音声信号を生成して振動子２６に出力する音声処理部２２１を備えている。振動子２６は、音声処理部２２１から入力される音声信号に基づいて振動を生成し、この音声信号に基づく音声を前面パネル２２から出力させる。
【００２０】
表示装置２０は、信号線１１を介して接続された表示制御装置５から画像データが入力されると、この画像データに基づいて画像処理部２１１によって描画を行い、表示パネル２３に画像を表示する。この画像は、動画像であっても静止画像であってもよい。また、表示装置２０は、表示制御装置５から音声データが入力されると、入力されたデータに基づいて音声処理部２２１によって音声信号を生成して、振動子２６によって前面パネル２２を振動させることにより、スピーカとして前面パネル２２から音声を出力する。
【００２１】
一方、表示制御装置５は、各種プログラムを実行して表示制御装置５の各種機能を実現するＣＰＵ５１、ＣＰＵ５１により実行されるプログラム及び当該プログラムに係るデータを記憶したＲＯＭ５２、プログラムやデータ等を一時的に記憶するＲＡＭ５３、キーボードやマウス等の入力デバイスにおける入力操作を検出して、入力操作に応じた操作信号をＣＰＵ５１に出力する入力部５４、及び、ＣＰＵ５１による処理結果等を表示画面（図示略）に表示させる表示部５５を備え、これらの各部はバス５０を介して相互に接続されている。
【００２２】
また、表示制御装置５は、外部装置に接続されるインタフェースとして、インタフェース部５６、画像入力部５７、音声入力部５８、及び通信インタフェース部５９を備えている。これらのインタフェースは、バス５０に接続され、ＣＰＵ５１に相互接続される。
インタフェース部５６には複数の表示装置２０が各々接続されており、インタフェース部５６は、ＣＰＵ５１の制御に従って各表示装置２０に対する各種データの送受信を行う。
画像入力部５７には、表示ユニット２に取り付けられた複数のカメラ３０が各々接続され、これらのカメラ３０により撮影された撮影画像のデータ（以下、撮影画像データ）の入力を受けて、入力された撮影画像データをＣＰＵ５１に出力する。また、画像入力部５７は、ＣＰＵ５１の制御に従って、カメラ３０の動作開始／停止等を制御する。
音声入力部５８は、表示ユニット２に取り付けられた複数のマイク４０の各々に接続され、マイク４０から入力されるアナログ電気信号をデジタルデータに変換してＣＰＵ５１に出力する。
通信インタフェース部５９は、外部の通信回線を介して、インターネット等のネットワーク１２に接続されており、ＣＰＵ５１の制御に従って、ネットワーク１２を介して外部のサーバ装置（図示略）から各種情報を受信する。
【００２３】
表示制御装置５は、磁気的記録媒体または半導体メモリ素子等により構成される記憶部６を有し、この記憶部６に、表示システム１を制御するためのプログラム及びデータを記憶している。
記憶部６は、ＣＰＵ５１により実行されるプログラムとして、表示システム１を制御するための初期設定を行う初期設定プログラム６１、表示ユニット２における表示装置２０の配置状態を示す配置情報６２、及び、表示ユニット２における画像表示及び音声出力を制御するための表示制御プログラム６３を記憶している。
また、記憶部６は、表示装置２０に表示される画像データを記憶する表示データ記憶領域６４（表示データ記憶手段）、及び、表示装置２０から音声を出力するためのデータを記憶する音声データ記憶領域６５（音声データ記憶手段）を有する。
さらに、記憶部６は、表示装置２０に表示する画像データを決定するための属性対応テーブル６６、及び、表示装置２０から出力する音声データを決定するための音声対応テーブル６７を記憶している。
【００２４】
ＣＰＵ５１は、初期設定プログラム６１を実行することにより、表示ユニット２を構成する各々の表示装置２０の動作状態や表示装置２０の数、カメラ３０及びマイク４０の数及び動作状態等を検出し、表示システム１を制御するための情報を取得する。また、ＣＰＵ５１は、初期設定プログラム６１を実行することで、各々の表示装置２０、カメラ３０及びマイク４０の動作状態を初期化する。
この初期設定プログラム６１の実行時に、ＣＰＵ５１は、表示ユニット２を構成する全ての表示装置２０から各々の表示装置２０に固有のＩＤを取得するとともに、表示ユニット２における表示装置２０の配置状態を検出し、各表示装置２０のＩＤを用いて各表示装置２０の位置を特定する配置情報６２を生成して、記憶する。
【００２５】
配置情報６２は、後述するように、ＣＰＵ５１が各々の表示装置２０における表示及び音声出力を制御すべく、個々の表示装置２０とその位置とを識別するために用いられる。
ＣＰＵ５１は、配置情報６２に基づいて表示ユニット２を構成する個々の表示装置２０を識別し、各表示装置２０に表示させる画像の表示データを各表示装置２０の位置に基づいて生成し、生成した表示データを、配置情報６２に含まれるＩＤに基づいて特定される表示装置２０に対して信号線１１を介して送出する。また、音声についても同様であり、特定の表示装置２０により音声を出力させる場合には、その表示装置２０に出力させる音声データを、配置情報６２に含まれるＩＤに基づいて、信号線１１を介して送出する。
【００２６】
その後、ＣＰＵ５１は、表示制御プログラム６３を実行して、表示制御処理を行う。
この表示制御処理において、ＣＰＵ５１は、カメラ３０から入力される撮影画像のデータを取得し、撮影画像において人物の画像を認識し、認識した人物に対して出力する画像及び音声を決定する。さらに、ＣＰＵ５１は、認識した人物の位置に近い位置から画像及び音声を出力するため、表示ユニット２を構成する表示装置２０の中から、出力を行う表示装置２０を決定する。そして、ＣＰＵ５１は、決定した表示装置２０によって、撮影画像において認識した人物に対応する画像及び音声を出力する。この画像及び音声の出力中に、マイク４０によって、対象となっている人物の声が検出された場合、ＣＰＵ５１は、検出された音声の内容を特定し、特定した内容に対応する音声を、出力中の音声に代えて出力する。
【００２７】
図４は、記憶部６が有する記憶領域の構成を模式的に示す図であり、図４Ａは表示データ記憶領域６４の構成を示し、図４Ｂは音声データ記憶領域６５の構成を示す。
表示データ記憶領域６４には、複数の表示オブジェクトが、その表示サイズに対応づけて記憶される。これらの表示オブジェクトは、表示ユニット２の一部分を構成する１または複数の表示装置２０によって表示可能な画像（動画像または静止画像）であり、例えば、ほぼ等身大の人物の画像等である。表示制御装置５は、表示ユニット２を構成する多数の表示装置２０のうち、一部の表示装置２０を用いて、表示オブジェクトを表示する。また、一つの表示ユニット２において、同時に複数の表示オブジェクトを表示することも可能であり、この場合、各々の表示オブジェクトが重ならないよう制御を行えばよい。
各表示オブジェクトに対応づけられる表示サイズは、その表示オブジェクトを表示するために必要な表示装置２０の数を示す情報であり、例えば、縦３枚×横２枚の６枚の表示装置２０に跨って表示される表示オブジェクトの表示サイズは、「３×２」と表現される。
また、音声データ記憶領域６５には複数の音声オブジェクトが記憶される。各々の音声オブジェクトは、表示装置２０から出力される音声の音声データであり、再生時間の長さは音声オブジェクト毎に異なっていてもよいし、同一であってもよい。表示制御装置５は、一つの音声オブジェクトに基づく音声を複数の表示装置２０から同時に出力することも可能である。
【００２８】
ここで、表示データ記憶領域６４に記憶される表示オブジェクトのデータフォーマットや、音声データ記憶領域６５に記憶される音声オブジェクトのデータフォーマット等は任意である。
また、音声データ記憶領域６５に記憶する音声オブジェクトは、音声をデジタル化した音声データそのものであってもよいが、音声データをＣＰＵ５１が合成するための情報であってもよい。すなわち、ＣＰＵ５１が表示装置２０により出力する音声を、その都度合成して、合成した音声データを表示装置２０に出力する構成とし、音声データ記憶領域６５には、音声データを合成するための波形データや辞書ファイル等を記憶しておいてもよい。
【００２９】
さらに、表示データ記憶領域６４に記憶される表示オブジェクト、及び、音声データ記憶領域６５に記憶される音声オブジェクトは、予め表示制御装置５が記憶しているデータに限らず、例えば、ＣＰＵ５１の制御により、通信インタフェース部５９からネットワーク１２を介して、外部のサーバ装置（図示略）からダウンロードされるものであってもよい。この場合、表示オブジェクト及び音声オブジェクトを更新し、新しい表示オブジェクトや音声オブジェクトを取得して出力できるので、より興趣性に富む表示を行うことができる。また、表示システム１により広告を出力する場合には、最新の商品やサービスに関する広告を行うための情報を、表示制御装置５が速やかに取得できるという利点がある。また、例えば、音声オブジェクトとして、後述するように天気予報の音声を出力する場合など、常に最新の情報が要求される場合には、ＣＰＵ５１の制御により、ネットワーク１２を介して最新の情報を取得して音声データ記憶領域６５に記憶するようにしてもよい。
【００３０】
図５は、記憶部６に記憶されるテーブルの構成を模式的に示す図であり、図５Ａは属性対応テーブル６６の構成を示し、図５Ｂは音声対応テーブル６７の構成を示す。
図５Ａに示す属性対応テーブル６６には、カメラ３０により撮影された人の外見上の属性と、その人を対象として表示される表示オブジェクト、及び、その人を対象として出力される音声オブジェクトとの対応が設定されている。
外見上の属性とは、表示制御装置５が、カメラ３０により撮影された撮影画像を解析して識別可能な属性であり、本実施形態では、外見に基づき判定される世代（年齢）及び性別である。
表示制御装置５は、カメラ３０の撮影画像に写っている人物の画像を認識し、その人物の画像の特徴と、予め記憶部６に記憶している世代別及び性別毎の人物画像の特徴（図示略）とを照合することにより、その人物の年齢及び性別を判定する。そして、属性対応テーブル６６に基づいて、その人物に向けて出力する表示オブジェクト及び音声オブジェクトを決定する。
【００３１】
また、図５Ｂに示す音声対応テーブル６７には、マイク４０により検出された音声の内容と、音声オブジェクトとの対応が設定されている。例えば、「天気予報」を要求する音声には音声オブジェクトＩが対応し、「広告商品の詳細」を要求する音声には音声オブジェクトＪが対応する。
表示制御装置５は、表示ユニット２に取り付けられたマイク４０によって検出された音声を解析し、カメラ３０の撮影画像において認識し、属性対応テーブル６６に設定された画像を表示する対象となった人物の方向からの音声を抽出する。そして、表示制御装置５は、抽出した音声の内容が、音声対応テーブル６７に設定された内容のいずれかに該当する場合には、音声対応テーブル６７に設定された音声オブジェクトを読み出して、既に上記人物に向けて出力中の音声に代えて、表示装置２０から出力する。
【００３２】
図６は、表示システム１の動作を示すフローチャートであり、特に、表示制御装置５の動作を示す。
この図６に示す動作の実行時、表示制御装置５のＣＰＵ５１は、位置決定手段、表示制御手段、画像認識手段、音声出力制御手段、及び、音声識別手段として機能する。
表示制御装置５は、表示システム１の動作開始に伴って初期設定プログラム６１に基づく初期設定を行った後、カメラ３０による撮影、マイク４０による音声検出、及び、表示制御プログラム６３に基づく表示制御処理を開始する（ステップＳ１１）。
続いて、表示制御装置５は、カメラ３０から入力される撮影画像において人物画像を認識する処理を行い、撮影画像中の人物画像を検出する（ステップＳ１２）。このステップＳ１２の処理において、表示制御装置５は、複数のカメラ３０の各々から入力される撮影画像を個々に解析して人物画像を検出するとともに、各カメラ３０の撮影画像の重複部分を特定することによって、同一の人物画像を重複して検出しないよう処理を行う。
【００３３】
表示制御装置５は、撮影画像から人物画像が検出されたか否かを判別し（ステップＳ１３）、人物画像を検出しなかった場合は（ステップＳ１３；Ｎｏ）、ステップＳ１２に戻り、人物画像を検出した場合は（ステップＳ１３；Ｙｅｓ）、その人物画像が、既に検出済みの人物の画像であるか否かを判別する（ステップＳ１４）。
ステップＳ１２で検出された人物画像が、その時点で既に検出済みではなかった場合（ステップＳ１４；Ｎｏ）、表示制御装置５は検出された人物画像に基づいて、その人物の属性を判定し（ステップＳ１５）、属性対応テーブル６６（図５Ａ）を参照して判定した属性に対応する表示オブジェクト及び音声オブジェクトを特定し、決定した表示オブジェクトを表示データ記憶領域６４から読み出し（ステップＳ１６）、ステップＳ１７に移行する。
【００３４】
一方、ステップＳ１２で検出された人物画像が、それ以前にステップＳ１２の処理を行った際に検出された画像である場合（ステップＳ１４；Ｙｅｓ）、表示制御装置５は、そのままステップＳ１７に移行する。この場合、表示制御装置５は、人物画像から判定される属性に対応する表示オブジェクトを、表示データ記憶領域６４から読み出し済みであるから、引き続き、この表示オブジェクトを表示することになる。
また、表示制御処理を開始してから最初にステップＳ１４の判別を行う時点では、検出済みの人物の画像には該当しないので、ステップＳ１５及びステップＳ１６の処理を行ってからステップＳ１７に移行する。
【００３５】
ステップＳ１７において、表示制御装置５は、検出した人物画像に対応する表示オブジェクトを、その人物画像に近い位置に表示するため、表示オブジェクトの表示サイズに基づいて表示位置を決定する。
このステップＳ１７で、表示制御装置５は、表示オブジェクトの表示サイズに適合する数の表示装置２０を選択する。例えば、表示オブジェクトの表示サイズが「３×２」（縦３枚×横２枚）である場合、ステップＳ１２で人物画像を検出した位置の最も近くに、縦３列×横２列の６枚の表示装置２０を選択して、表示位置として決定する。ここで選択される表示装置２０の数は表示オブジェクトの表示サイズに適合していればよく、表示サイズと同数であってもよいし、表示サイズを所定倍率で拡大または縮小したサイズと同数であってもよい。この場合、表示オブジェクトの縦横比が保持されるよう拡大または縮小したサイズであることが好ましく、例えば、上記の例で表示サイズが「３×２」の表示オブジェクトに対して縦６枚×横４枚の表示装置２０を選択することが可能である。
続いて、表示制御装置５は、表示位置として決定した表示装置２０に対して表示オブジェクトを表示するための画像を送信し、表示オブジェクトを表示させる（ステップＳ１８）。
【００３６】
次に、表示制御装置５は、マイク４０により、ステップＳ１２で検出した人物画像の位置からの人の音声を検出したか否かを判別する（ステップＳ１９）。このステップＳ１９では、人物画像の人物が音声によって指示等を入力した場合に、この音声を検出する。
ここで、該当する音声を検出していない場合は（ステップＳ１９；Ｎｏ）、ステップＳ１６で特定した音声オブジェクトを音声データ記憶領域６５から読み出し（ステップＳ２０）、ステップＳ２３に移行する。また、人物画像の位置またはその近傍からの音声を検出した場合（ステップＳ１９；Ｙｅｓ）、表示制御装置５は、その音声の内容を識別し（ステップＳ２１）、音声対応テーブル６７（図５Ｂ）に基づいて識別した音声の内容に対応する音声オブジェクトを特定して、この音声オブジェクトを音声データ記憶領域６５から読み出し（ステップＳ２２）、ステップＳ２３に移行する。
ステップＳ２３で、表示制御装置５は、音声オブジェクトを再生するための音声データを生成し、生成した音声データを、ステップＳ１８で表示オブジェクトを表示させた表示装置２０へ送信して、これらの表示装置２０から音声を出力させる。
その後、表示制御装置５は、本表示制御処理の終了が指示されたか否かを判別し（ステップＳ２４）、終了が指示されていない場合はステップＳ１２に戻り、終了が指示された場合は、この指示に従って本処理を終了する。
【００３７】
この図６に示す処理によれば、表示ユニット２の前方にいる人物の姿がカメラ３０により撮影されると、この人物の画像が検出され（ステップＳ１２）、検出された画像に基づいて、その人物の属性が判定される（ステップＳ１５）。ここで判定される属性は、画像から判断し得る外見上の属性である。そして、表示制御装置５によって、その人物の属性に対応する表示オブジェクトが読み出され（ステップＳ１６）、その人の位置に最も近い表示装置２０によって、表示オブジェクトが表示される（ステップＳ１７〜Ｓ１８）。
図６のステップＳ１２〜Ｓ２４の処理が繰り返し実行される間、表示ユニット２の前の人物はカメラ３０によって何度か撮影され、そのたびに人物画像が検出されるが（ステップＳ１２）、既に検出された人物の画像であると判別され（ステップＳ１４；Ｙｅｓ）、新たな属性判定は行われない。この場合、以前にその人物の属性に基づいて読み出された表示オブジェクトが、今回撮影されたその人物の位置に近い表示装置２０に表示される。従って、その人物が表示ユニット２の前を移動した場合には、カメラ３０によって撮影されたときの人物の位置の近くの表示装置２０が表示位置として決定され、この表示装置２０に表示オブジェクトが表示される。
つまり、人物が表示ユニット２の前を移動すると、その人物の位置に合わせて表示オブジェクトの表示位置が変更されるので、表示オブジェクトの表示位置を、人物の移動に追従して移動するように変えることができる。これにより、表示オブジェクトが人物に合わせて移動するような表示を行える。
【００３８】
このように、本発明を適用した実施形態に係る表示システム１によれば、複数の表示装置２０を並べて構成される表示ユニット２の近傍における人の位置を検出して、この人の位置に基づいて表示オブジェクトの表示位置を決定し、表示オブジェクトとして広告映像や各種画像等を表示できる。また、新たに人の位置を検出した場合は新たな位置に基づいて表示オブジェクトの表示位置を変更して表示を更新するので、人が移動した場合や、別の人の位置を検出した場合に、この新たな人の位置に合わせて表示オブジェクトを表示する。このため、例えば、移動する人に追従するように表示オブジェクトの表示位置を変化させることが可能となる。従って、大画面化が容易であるという表示ユニット２の表示領域を効果的に使用して、表示ユニット２の近くにいる人に、通常の表示画面ではできない迫力や親密感等を感じさせ、興趣性とインパクトに富む新しい表示方法を提供でき、例えば広告表示に適用すれば優れた広告効果が期待できる。
【００３９】
ここで、表示オブジェクトの表示サイズに適合する数の表示装置２０が表示位置として選択されるので、表示オブジェクトを表示する際に、表示サイズの変換や画像合成等の処理を必要としない。これにより、表示に係る処理負荷が軽くて済むので、表示処理および表示を更新する処理を高速に実行でき、例えば表示位置を高速に変化させることができる。
そして、カメラ３０の撮影画像から人物画像を認識することで人の位置を検出し、さらに、人物画像から人の属性として年齢層や性別を判定し、この年齢層や性別に対応する表示オブジェクトを表示するので、人の位置を容易にかつ速やかに検出でき、さらに、その人の属性に対応づけられた表示オブジェクトを表示するとともに、同じくその人の属性に対応づけられた音声オブジェクトに基づいて音声を出力する。これにより強い親密感や興趣性を生み出すことができる。さらに、例えば本構成を広告表示に適用した場合、その人の属性に合った商品やサービスの広告を行ったり、特定の年齢層や性別に向けた表示オブジェクト及び音声オブジェクトを用いて広告を行ったりすることで、広告への注目度を高めることができ、優れた広告効果が期待できる。
また、図６の動作においては、人物の属性に対応する音声オブジェクトが読み出され、この音声オブジェクトの音声が、表示オブジェクトの表示位置として特定された表示装置２０から出力される。従って、表示と音声とを連動させて出力することが可能になる上、人物が表示ユニット２の前を移動した場合、その人物の移動に追従するように音声の出力位置を変えられる。
【００４０】
さらに、マイク４０により検出した音声の内容に基づいて、その音声の内容に対応する音声オブジェクトを選択し、この音声オブジェクトの音声を出力するので、例えば、音声によって天気予報が求められた場合は、天気予報の音声を出力し、広告が要らないとの意思が音声によって示された場合は、音声の出力を無音とすることもできる。このように、表示ユニット２の前にいる人の音声に対応して音声出力を行うことで、より高い親密感や興趣性を与えることが可能となり、例えば本構成を広告表示に適用した場合には優れた広告効果が期待できる。
【００４１】
図７は、表示システム１の使用例を示す図である。
この図７の使用例は、例えば通路や建物室内の壁面に、縦６列×横１０列の表示装置２０を並べて構成される表示ユニット２を設置した例である。この例では、表示ユニット２の一部を構成する表示装置２０に表示オブジェクトとして人の画像を表示させ、この人が、表示ユニット２の前にいる人に話しかけるような表示形態を実現する。表示ユニット２は、その下端が、人が歩行する通路や居室の床から所定高さ以下となるよう設置され、その設置場所において人の全身に近く、人の目線と重なる高さ位置で、表示を行うように配設されている。
この図７の例では、表示ユニット２の前に立っている人（符号Ｐ）がいた場合に、人Ｐに近い表示装置２０に、表示オブジェクトＱが表示される。この例の表示オブジェクトＱは、縦４列×横２列からなる８枚の表示装置２０に表示される人型の画像である。
【００４２】
ここで、人Ｐが、図中矢印Ｍで示す方向に移動した場合には、この人Ｐの移動中、或いは移動後に検出される人Ｐの位置に合わせて、表示オブジェクトＱの表示位置も矢印Ｍの方向に移動する。このため、人の姿の表示オブジェクトＱが人Ｐに寄り添って移動するような表示を行うことができる。
そして、表示ユニット２において表示オブジェクトＱを表示している表示装置２０からは、表示オブジェクトＱに対応する音声オブジェクトの音声が出力され、表示オブジェクトＱの表示位置が移動した場合には、移動後の表示位置となる表示装置２０から音声が出力されるようになる。つまり、表示ユニット２は、音声を出力する表示装置２０を切り換えることによって、人Ｐの移動に追従してスピーカを移動させることと同様の作用を実現できる。
【００４３】
表示システム１による表示は、例えば、商品の広告に利用できる。例えば、表示オブジェクトＱとして、人型のキャラクタの静止画像ではなく、人Ｐに話しかけて商品の説明をする姿の動画像を用い、表示オブジェクトＱを表示中の表示装置２０から、商品の説明の音声からなる音声オブジェクトを用いることが考えられる。この場合、表示オブジェクトの表示位置及び音声の出力位置が人Ｐの位置に合わせて移動しながら広告を行うので、従来の広告とは全く異なり、広告を見る人に対する距離が近く、親近感を抱かせ、広告の内容に強く注目させることができ、興趣性に富む広告を行うことができる。
【００４４】
また、表示システム１においては、カメラ３０の撮影画像から表示ユニット２の近傍にいる人の人物画像を検出した場合に、この人物画像すなわち外見から属性を判定し、その属性に対応する表示オブジェクト及び音声オブジェクトを出力する。具体的な適用例としては、例えば、人物画像から若年男性と判定された人に対しては若年の女性の画像からなる表示オブジェクトを表示し、この女性の声を音声オブジェクトとして出力し、高齢の女性と判定された人に対しては高齢の男性の画像および音声を出力する例が挙げられる。
さらに、表示システム１を広告に適用する場合、図５Ａに例示したように、人物画像から属性として年齢層および性別を判定し、年齢層及び性別に応じた商品やサービスの広告を、表示オブジェクト及び音声オブジェクトとして出力すれば、広告を見聞きする人が、広告する商品やサービスの対象性別・対象年齢層に合致するので、優れた広告効果が期待できる。また、表示システム１により広告を見聞きする人にとっては、無関係な広告が見せられることによる違和感や不快感がなく、自分の年代や性別に関係のある商品やサービスを知ることで、知的好奇心の満足を得て、楽しむことができる。
【００４５】
さらに、図６の動作においては、人物画像が検出された位置からの音声をマイク４０により取得し、この音声を解析して内容を識別し、この音声が何らかの指示をなすものであれば、その内容に応じた音声オブジェクトが出力される。例えば、図５Ｂに示す音声対応テーブル６７によれば、表示ユニット２の前にいる人Ｐが、天気予報を求める音声を発した場合には音声オブジェクトＩが選択され、人Ｐが広告商品の詳細を求める音声を発した場合は音声オブジェクトＪが選択され、人Ｐが別の商品の広告を求める音声を発した場合は音声オブジェクトＫが選択される。
ここで、音声データ記憶領域６５に、音声オブジェクトＩとして天気予報の音声（天気概況、当日または翌日の天気、降水確率等を説明する音声）を記憶しておけば、要求に応じて天気予報の音声を出力できる。また、音声オブジェクトＪとして、商品に関するより詳細な情報を説明する音声を記憶しておけば、人Ｐの求めに応じて商品の詳細を説明することができ、より優れた広告効果が期待できる。
【００４６】
また、音声オブジェクトＫが選択された場合に、音声データ記憶領域６５に記憶される広告の音声オブジェクトＫ自体が出力される構成としてもよいが、実際には音声オブジェクトＫという音声オブジェクトを用意しないで、音声オブジェクトＫを一種のコマンドとして処理してもよい。この場合、音声オブジェクトＫが選択された場合に、表示制御装置５は、他の音声オブジェクトＡ〜Ｈの中から、現在出力中の音声オブジェクト以外のものを選択する。
さらに、図５Ｂの例では、人Ｐの音声として、広告が要らないと表明する音声を検出した場合には、出力する音声オブジェクトとして、無音の音声データが選択され、表示装置２０からの音声出力が停止される。この場合には、広告を嫌う人に不快感を与えず、広告の内容に興味を持つ人にのみ商品やサービスの情報を提供できるという利点がある。
【００４７】
このように、表示システム１は、表示ユニット２の近傍にいる人に向けて、表示オブジェクト及び音声オブジェクトを出力するとともに、この人の音声をマイク４０によって検出して、その音声の内容に基づいて、音声オブジェクトを変更したり、音声出力を停止させたりすることができる。これにより、表示システム１は、表示ユニット２の近傍にいる人と双方向的な情報提供を行うことができるので、利便性の高い情報提供媒体としての機能を果たすことができるとともに、商品やサービスの広告をする場合は、優れた広告効果が期待できる。
なお、マイク４０により検出した音声の内容に基づいて、音声オブジェクトだけでなく、表示オブジェクトを新たに選択し、表示中の表示オブジェクトから変更してもよい。この場合、より多くの情報を、より興趣性の高い方法で、双方向的に提供できる。
【００４８】
また、図６の動作は一人の人物のみに限定されるものではなく、複数の人物の各々に対応するように複数の表示オブジェクトを表示ユニット２に表示させることも可能である。
すなわち、カメラ３０が撮影した画像から複数の人物の人物画像が検出された場合（ステップＳ１２）、表示制御装置５によって各々の人物画像について、独立して、検出済みか否かを判別し（ステップＳ１４）、属性を判定し（ステップＳ１５）、判定した属性に対応する表示オブジェクトを読み出し（ステップＳ１６）、表示位置を決定して（ステップＳ１７）、表示オブジェクトを表示（ステップＳ１８）すればよい。この場合、複数の人物に対して、各人物の属性に対応する表示オブジェクトが、各人物の位置に合わせた表示位置に表示される。
【００４９】
例えば、図７の使用例では一人の人Ｐに対して一つの表示オブジェクトＱが表示されているが、他に別の人がいれば、その人に近い表示装置２０に、別の表示オブジェクトを表示できる。そして、複数の表示オブジェクトが表示ユニット２に表示されている状態では、各々の表示オブジェクトの位置が、それぞれ独立して、その対象となっている人の移動に追従するように変更される。このとき、複数の表示オブジェクトが各々の人の位置の近くに表示され、音声も各々の人の近くの表示装置２０から出力されるので、他の人に向けた表示オブジェクトや音声が邪魔になることがない。これにより、複数の表示装置２０を並べて構成される表示ユニット２の広い表示領域を活用して、複数の人に対し、インパクトの強い形態で情報を提供できる。
【００５０】
ここで、ＣＰＵ５１は、表示データ記憶領域６４に記憶された表示オブジェクトを読み出して、その表示オブジェクトの表示サイズに等しい数の表示装置２０を表示位置として選択し、選択した表示装置２０に表示オブジェクトを表示する。このため、表示データ記憶領域６４から読み出した表示オブジェクトの表示サイズの変換や画像合成等の処理を必要としないので、表示に係る処理負荷が軽くて済む。従って、表示オブジェクトの表示および表示位置の変更に伴う表示更新の処理を高速に行うことができ、例えば人の移動に速やかに追従して表示位置を変えられる。また、複数の人に対応して複数の表示オブジェクトを表示する場合も、処理の遅延や画質の低下等を招くことなくスムーズに表示を行える。なお、表示位置として選択される表示装置２０の数が、表示オブジェクトの表示サイズを、例えば表示オブジェクトの縦横の比率を保ったまま拡大または縮小した場合の数であっても、上記と同様に軽い負荷で表示および表示の更新を実行可能である。
【００５１】
上記実施形態においては、表示ユニット２の上端にカメラ３０及びマイク４０を配置した構成を例に挙げて説明したが、本発明はこれに限定されるものではなく、一部または全部の表示装置２０の枠２１内に、それぞれカメラ３０及びマイク４０を配設した構成としてもよい。この場合、さらに、この構成において、表示装置２０が備えるカメラ３０の撮影画像データやマイク４０により検出された音声の音声信号等が信号線１１を介して表示制御装置５に入力される構成としてもよく、この場合には、表示ユニット２と表示制御装置５との間をつなぐケーブルの数を減らすことができる、配置情報６２に基づいて各々のカメラ３０やマイク４０を識別できる等の利点がある。
さらに、上記実施形態では、表示装置２０が備える前面パネル２２を振動子２６によって振動させることによって音声を出力する構成について説明したが、本発明はこれに限定されるものではなく、振動子２６に代えて、音声を出力する通常のスピーカを枠２１内に備えた構成としてもよい。また、指向性の強いスピーカを表示ユニット２の上部に複数設け、このスピーカの向きを変える駆動機構を設けて、人がいる位置に向けて音声を出力してもよく、この場合、表示制御装置５は、音声を出力するスピーカを選択するとともに、当該スピーカの向きを制御する処理を行う。
また、上述したカメラ３０、マイク４０及びスピーカは、表示ユニット２に限らず、表示ユニット２が設置された空間内において、表示ユニット２から離れた場所に設置することも勿論可能である。
さらに、表示ユニット２が備える表示パネル２３として、有機ＥＬ素子を用いた表示パネルやプラズマ表示パネル等を用いることも可能であり、これらのように自発光型の表示パネルを用いた場合にはバックライト２４を廃した構成としてもよく、その他、表示システム１の具体的な細部構成についても任意に変更可能である。
【図面の簡単な説明】
【００５２】
【図１】実施形態に係る表示システムの概略構成を示す図である。
【図２】表示装置の構成を示す図である。
【図３】表示システムの各部の構成を示す機能ブロック図である。
【図４】表示制御装置の記憶部が有する記憶領域の構成を模式的に示す図である。
【図５】記憶部に記憶されたテーブルの構成を模式的に示す図である。
【図６】表示システムの動作を示すフローチャートである。
【図７】表示システムの使用例を示す図である。
【符号の説明】
【００５３】
１…表示システム、２…表示ユニット、５…表示制御装置、６…記憶部、２０…表示装置、２２…前面パネル（音声出力装置）、２３…表示パネル、２５…制御基板、２６…振動子（音声出力装置）、３０…カメラ、４０…マイク、５１…ＣＰＵ（位置決定手段、表示制御手段、画像認識手段、音声出力制御手段、音声識別手段）、５７…画像入力部、５８…音声入力部、６４…表示データ記憶領域（表示データ記憶手段）、６５…音声データ記憶領域（音声データ記憶手段）、２００…制御部、２０１…ＣＰＵ、２１１…画像処理部、２１２…描画メモリ、２１３…駆動回路、２２１…音声処理部。
【図１】
2010015076.tif 000003
【図２】
2010015076.tif 000004
【図３】
2010015076.tif 000005
【図４】
2010015076.tif 000006
【図５】
2010015076.tif 000007
【図６】
2010015076.tif 000008
【図７】
2010015076.tif 000009